(57)【要約】      （修正有）【課題】ボス部を覆う部材が必要ないスイッチ装置を備えた表示装置を提供する。【解決手段】回路基板２に固定されるスイッチ１１と、スイッチ１１を押圧する操作部材１４と、回路基板２のスイッチ１１を設けた側に配置され開口穴２６を有する保護板７と、保護板７と回路基板２との間に配置される表示板５と、表示板５を背面側から保持するケース部材６と、操作部材１４を覆うように配置されるボス部１５と、を備えたスイッチ装置９において、ボス部１５の外周面の少なくとも一部に表面加工部を有する。【選択図】図２
2017049027.tif 000002
【特許請求の範囲】
【請求項１】
回路基板に固定されるスイッチと、
前記スイッチを押圧する操作部材と、
前記回路基板の前記スイッチを設けた側に配置され開口穴を有する保護板と、
前記保護板と前記回路基板との間に配置される表示板と、
前記表示板を背面側から保持するケース部材と、
前記操作部材を覆うように配置されるボス部と、
を備えた表示装置において、
前記ボス部の外周面の少なくとも一部に表面加工部を有する
ことを特徴とする表示装置。
【請求項２】
前記ボス部は、前記ケース部材と一体成形されていることを特徴とする請求項１に記載の表示装置。
【発明の詳細な説明】
【技術分野】
【０００１】
本発明は、例えば車両用計器に用いられる表示装置に関し、特にスイッチ装置を備えた表示装置に係るものである。
【背景技術】
【０００２】
一般的に、車両用の表示装置には、速度計，回転計，燃料計などの指針式計器の他に、走行距離や外気温，時刻などの情報を表示する表示器と、スイッチ装置とが備えられている。このスイッチ装置は、押釦を押圧操作することによって、表示の切り替えを可能とするものであり、例えば下記特許文献１に記載のものが知られている。斯かるスイッチ装置は、押釦を押圧操作によって、ボス部に挿通された円柱状の操作部材を介して、スイッチを作動させるものである。
【先行技術文献】
【特許文献】
【０００３】
【特許文献１】特開２００９−２６４８７１号公報
【発明の概要】
【発明が解決しようとする課題】
【０００４】
しかしながら、このような表示装置は、ボス部を弾性部材で覆う構造であるため、部品点数が多いという問題があった。この問題を解決するため、単に、弾性部材を無くした場合、部品点数は削減できるが、ボス部が露出してしまうため、美観が損なわれるという新たな問題が生じることになる。
【０００５】
本発明は、このような問題に鑑みなされたものであり、デザイン性に優れ、且つ、ボス部を覆う部材が必要ない表示装置を提供するものである。
【課題を解決するための手段】
【０００６】
本発明は、回路基板に固定されるスイッチと、前記スイッチを押圧する操作部材と、前記回路基板の前記スイッチを設けた側に配置され開口穴を有する保護板と、前記保護板と前記回路基板との間に配置される表示板と、前記表示板を背面側から保持するケース部材と、前記操作部材を覆うように配置されるボス部と、を備えた表示装置において、前記ボス部の外周面の少なくとも一部に表面加工部を有するものである。
【０００７】
また、本発明は、前記ボス部は、前記ケース部材と一体成形されているものである。
【発明の効果】
【０００８】
ボス部の外周面に表面加工を施すことによりデザイン性に優れた表示装置になり、且つ、ボス部を覆う部材が必要ないため、部品点数が少ない。
【図面の簡単な説明】
【０００９】
【図１】本発明の実施形態を示す表示装置の正面図。
【図２】同実施形態を示す表示装置のＡ−Ａ断面図。
【図３】同実施形態を示すスイッチ装置のＢ−Ｂ断面図。
【発明を実施するための形態】
【００１０】
本発明を車両用計器に用いられる表示装置を実施形態として説明する。図１は、表示装置の正面図である。図２は、表示装置のＡ−Ａ断面図である。図３は、スイッチ装置９のＢ−Ｂ断面図である。
【００１１】
表示装置は、計器としての速度計１を備えている。速度計１は、硬質な回路基板２と、この回路基板２に導通状態で装着された計器本体３と、指示部４ａを有する指針４と、この指針４の背後に配置され指示部４ａの指示対象となる車両の速度を現す目盛，数字などの表示部が印刷によって設けられた表示板５と、この表示板５と回路基板２との間に配置され表示板５が支持されるケース部材６と、回路基板２上に実装され指針４や表示板５を背後から照明する図示しない光源を備えている。
【００１２】
また、表示装置は、指針４や表示板５の前方側を被う保護板７と、回路基板２の裏面側やケース部材６の周囲を被う例えば黒色の合成樹脂からなるカバー８と、走行距離や外気温，時刻などの情報を表示する液晶表示器１０と、この液晶表示器１０の表示切り替えを行うスイッチ装置９などを備えている。
【００１３】
スイッチ装置９は、回路基板２に半田付け固定されるスイッチ１１と、このスイッチ１１の前方側に配置されスイッチ１１を作動させる円柱状の操作部材１４と、ケース部材６に設けられ操作部材１４が挿通される筒状のボス部１５と、保護板７に装着され操作部材１４を押圧操作する押釦１７を備えている。
【００１４】
ケース部材６は、例えば白色の合成樹脂からなり、表示板５が支持される。ケース部材６には、ボス部１５が一体成形されている。ケース部材６のボス部１５は、操作部材１４のラジアル方向の移動量を規制するものである。
【００１５】
ボス部１５は、表示板５に形成された貫通孔を貫通することで、表示板５よりも前方側及び後方側に位置することになる。また、ボス部１５の操作部材１４と面していない外周面には、シボ加工もしくは、鏡面仕上げなどの表面加工部１５ａが施されている。ボス部１５の表面加工部１５ａは、少なくとも表示板５より保護板７側に露出した部分に施されていれば良い。
【００１６】
保護板７は、無色透明な合成樹脂からなる透視部２３と、この透視部２３の周縁に透視部２３と一体的に形成された例えば黒色の合成樹脂からなる側壁２４とを有している。また、側壁２４には表示板５側にほぼ垂直に延びる壁部２５が設けてある。この壁部２５は、表示板５周囲の計器装置内が見えるのを覆い隠すものであると共に、表示板５の可視領域を定めるものでもある。
【００１７】
また、スイッチ１１に対応した透視部２３箇所には、円形の開口穴２６が設けてある。
【００１８】
押釦１７は、柔軟性を有する例えば黒色の合成ゴムからなり、透視部２３に設けられた開口穴２６の周縁に装着される装着部２９と、押圧操作部３０とを有している。
【００１９】
装着部２９は、開口穴２６に嵌る周壁部３３と、開口穴２６周縁の透視部２３裏面に係止する係止部３４と、開口穴２６周縁箇所の透視部２３表面を被う覆い部３５とからなる。この様に、装着部２９を透視部２３の開口穴２６周縁に装着することによって、押釦１７としての機能を有しつつ、開口穴２６から埃や水などが浸入するのを防いでいる。
【００２０】
スイッチ１１の操作は、押釦１７の押圧操作部３０を下方（スイッチ１１側）に押すことによって行われる。押圧操作部３０を押すと、操作部材１４が下方に移動してスイッチ１１を押圧し、走行距離や外気温，時刻などの情報を表示する液晶表示器１０の表示切り替えが行われる。押圧操作部３０の押しを止めると、操作部材１４が元の位置に戻るようになっている。
【００２１】
このように、本発明は、回路基板２に固定されるスイッチ１１と、スイッチ１１を押圧する操作部材１４と、回路基板２のスイッチ１１を設けた側に配置され開口穴２６を有する保護板７と、保護板７と回路基板２との間に配置される表示板５と、表示板５を背面側から保持するケース部材６と、操作部材１４を覆うように配置されるボス部１５と、を備えた表示装置において、ボス部１５の外周面の少なくとも一部に表面加工部１５ａを有することによって、ボス部１５を弾性部材などで覆う必要なく、美観を損なわない表示装置を提供することができる。
【００２２】
また、本発明は、前記ボス部１５は、ケース部材６と一体成形されていることによって、ボス部１５を個別に成形する必要がなく、コスト低減が期待できる。
【００２３】
なお、本実施形態においては、押釦１７とスイッチ１１との間に操作部材１４を配置したが、操作部材１４を押釦１７と一体として、これを操作部材としても良い。
【符号の説明】
【００２４】
２  回路基板
５  表示板
６  ケース部材
１１  スイッチ
１４  操作部材
１５  ボス部
１５ａ  表面加工部
【図１】
2017049027.tif 000003
【図２】
2017049027.tif 000004
【図３】
2017049027.tif 000005